【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
内部に発熱量Ｑを与えられた四角柱体にモデル化された筐体の幅Ｌ１と、奥行きＬ２と、高さＬ３と、前記筐体の表面の熱輻射率とを入力する入力装置と、
代表長さに前記Ｌ１を採用したヌッセルト数と、前記Ｌ２を採用したヌッセルト数とを用いて前記筐体の底面の自然対流熱伝達率ｈ１を算出し、代表長さに前記Ｌ３を採用したヌッセルト数を用いて前記筐体の側面の自然対流熱伝達率ｈ２を算出し、代表長さに（前記Ｌ１＋前記Ｌ３）を採用したヌッセルト数と、（前記Ｌ２＋前記Ｌ３）を採用したヌッセルト数とを用いて前記筐体の天面の自然対流熱伝達率ｈ３を算出し、前記ｈ１、ｈ２、ｈ３、Ｌ１、Ｌ２、Ｌ３、熱輻射率とから、前記筐体表面の温度を前記発熱量Ｑの関数として算出する演算装置と
を備えていることを特徴とする筐体表面の温度予測装置。
【請求項２】
前記演算装置は、複数の異なる熱輻射率ごとに前記筐体表面の温度を算出する
ことを特徴とする請求項１に記載の筐体表面の温度予測装置。
【請求項３】
内部に発熱量Ｑを与えられた四角柱体に筐体をモデル化する手順と、
前記筐体の幅Ｌ１と、奥行きＬ２と、高さＬ３と、前記筐体表面の輻射率とを入力する手順と、
演算手段が、代表長さに前記Ｌ１を採用したヌッセルト数と、前記Ｌ２を採用したヌッセルト数とを用いて前記筐体の底面の自然対流熱伝達率ｈ１を算出し、代表長さに前記Ｌ３を採用したヌッセルト数を用いて前記筐体の側面の自然対流熱伝達率ｈ２を算出し、代表長さに（前記Ｌ１＋前記Ｌ３）を採用したヌッセルト数と、（前記Ｌ２＋前記Ｌ３）を採用したヌッセルト数とを用いて前記筐体の天面の自然対流熱伝達率ｈ３を算出し、前記ｈ１、ｈ２、ｈ３、Ｌ１、Ｌ２、Ｌ３、熱輻射率とから、前記筐体表面の温度を前記発熱量Ｑの関数として算出する手順と
を有することを特徴とする筐体表面の温度予測方法。
【請求項４】
前記演算手段が、複数の異なる熱輻射率ごとに前記筐体表面の温度を算出する手順を有する
ことを特徴とする請求項３に記載の筐体表面の温度予測方法。
【請求項５】
内部に発熱量Ｑを与えられた四角柱体にモデル化された筐体の幅Ｌ１と、奥行きＬ２と、高さＬ３と、前記筐体の表面の熱輻射率とを入力する入力装置を備えたクライアントと、
ネットワークを介して前記クライアントと接続され、前記クライアントから送られる入力データを受け、代表長さに前記Ｌ１を採用したヌッセルト数と、前記Ｌ２を採用したヌッセルト数とを用いて前記筐体の底面の自然対流熱伝達率ｈ１を算出し、代表長さに前記Ｌ３を採用したヌッセルト数を用いて前記筐体の側面の自然対流熱伝達率ｈ２を算出し、代表長さに（前記Ｌ１＋前記Ｌ３）を採用したヌッセルト数と、（前記Ｌ２＋前記Ｌ３）を採用したヌッセルト数とを用いて前記筐体の天面の自然対流熱伝達率ｈ３を算出し、前記ｈ１、ｈ２、ｈ３、Ｌ１、Ｌ２、Ｌ３、熱輻射率とから、前記筐体表面の温度を前記発熱量Ｑの関数として算出し、この結果を前記クライアントに送るサーバとを有する
ことを特徴とする筐体表面の温度予測システム。
【請求項６】
前記サーバは、複数の異なる熱輻射率ごとに前記筐体表面の温度を算出する
ことを特徴とする請求項５に記載の筐体表面の温度予測システム。
【請求項７】
前記サーバは、処理結果を蓄積すると共にこの蓄積データを前記クライアントに提供可能なデータベース部を備える
ことを特徴とする請求項５に記載の筐体表面の温度予測システム。
【請求項８】
内部に発熱量Ｑを与えられた四角柱体にモデル化された筐体の幅Ｌ１と、奥行きＬ２と、高さＬ３と、前記筐体の表面の熱輻射率とを入力する入力装置を備えたクライアントと、
ネットワークを介して前記クライアントと接続され、前記クライアントから送られる入力データを受け、代表長さに前記Ｌ１を採用したヌッセルト数と、前記Ｌ２を採用したヌッセルト数とを用いて前記筐体の底面の自然対流熱伝達率ｈ１を算出し、代表長さに前記Ｌ３を採用したヌッセルト数を用いて前記筐体の側面の自然対流熱伝達率ｈ２を算出し、代表長さに（前記Ｌ１＋前記Ｌ３）を採用したヌッセルト数と、（前記Ｌ２＋前記Ｌ３）を採用したヌッセルト数とを用いて前記筐体の天面の自然対流熱伝達率ｈ３を算出し、前記ｈ１、ｈ２、ｈ３、Ｌ１、Ｌ２、Ｌ３、熱輻射率とから、前記筐体表面の温度を前記発熱量Ｑの関数として算出し、この結果を前記クライアントに送るアプリケーションサーバと、
前記アプリケーションサーバの処理結果を蓄積すると共に、この蓄積データを前記クライアントに提供可能なデータベースサーバとを有する
ことを特徴とする筐体表面の温度予測システム。
【請求項９】
前記アプリケーションサーバは、複数の異なる熱輻射率ごとに前記筐体表面の温度を算出する
ことを特徴とする請求項８に記載の筐体表面の温度予測システム。
【請求項１０】
ネットワークを介してクライアントと接続されたサーバであって、
前記クライアントから送られる、内部に発熱量Ｑを与えられた四角柱体にモデル化された筐体の幅Ｌ１と、奥行きＬ２と、高さＬ３と、前記筐体の表面の熱輻射率とを受け、
代表長さに前記Ｌ１を採用したヌッセルト数と、前記Ｌ２を採用したヌッセルト数とを用いて前記筐体の底面の自然対流熱伝達率ｈ１を算出し、代表長さに前記Ｌ３を採用したヌッセルト数を用いて前記筐体の側面の自然対流熱伝達率ｈ２を算出し、代表長さに（前記Ｌ１＋前記Ｌ３）を採用したヌッセルト数と、（前記Ｌ２＋前記Ｌ３）を採用したヌッセルト数とを用いて前記筐体の天面の自然対流熱伝達率ｈ３を算出し、前記ｈ１、ｈ２、ｈ３、Ｌ１、Ｌ２、Ｌ３、熱輻射率とから、前記筐体表面の温度を前記発熱量Ｑの関数として算出し、この結果を前記クライアントに送る
ことを特徴とするサーバ。
【請求項１１】
複数の異なる熱輻射率ごとに前記筐体表面の温度を算出する
ことを特徴とする請求項１０に記載のサーバ。
【請求項１２】
処理結果を蓄積すると共にこの蓄積データを前記クライアントに提供可能なデータベース部を備える
ことを特徴とする請求項１０に記載のサーバ。
【請求項１３】
内部に発熱量Ｑを与えられた四角柱体にモデル化された筐体の幅Ｌ１と、奥行きＬ２と、高さＬ３と、前記筐体の表面の熱輻射率とを入力する入力装置を備えたクライアントから送られる入力データを受け、代表長さに前記Ｌ１を採用したヌッセルト数と、前記Ｌ２を採用したヌッセルト数とを用いて前記筐体の底面の自然対流熱伝達率ｈ１を算出し、代表長さに前記Ｌ３を採用したヌッセルト数を用いて前記筐体の側面の自然対流熱伝達率ｈ２を算出し、代表長さに（前記Ｌ１＋前記Ｌ３）を採用したヌッセルト数と、（前記Ｌ２＋前記Ｌ３）を採用したヌッセルト数とを用いて前記筐体の天面の自然対流熱伝達率ｈ３を算出し、前記ｈ１、ｈ２、ｈ３、Ｌ１、Ｌ２、Ｌ３、熱輻射率とから、前記筐体表面の温度を前記発熱量Ｑの関数として算出するアプリケーションサーバの処理結果を蓄積すると共に、この蓄積データを前記クライアントに提供可能である
ことを特徴とするデータベースサーバ。
【請求項１４】
内部に発熱量Ｑを与えられた四角柱体にモデル化された筐体の幅Ｌ１と、奥行きＬ２と、高さＬ３と、前記筐体の表面の熱輻射率とに基づいて、代表長さに前記Ｌ１を採用したヌッセルト数と、前記Ｌ２を採用したヌッセルト数とを用いて前記筐体の底面の自然対流熱伝達率ｈ１を算出し、代表長さに前記Ｌ３を採用したヌッセルト数を用いて前記筐体の側面の自然対流熱伝達率ｈ２を算出し、代表長さに（前記Ｌ１＋前記Ｌ３）を採用したヌッセルト数と、（前記Ｌ２＋前記Ｌ３）を採用したヌッセルト数とを用いて前記筐体の天面の自然対流熱伝達率ｈ３を算出する処理と、
前記ｈ１、ｈ２、ｈ３、Ｌ１、Ｌ２、Ｌ３、熱輻射率とから、前記筐体表面の温度を前記発熱量Ｑの関数として算出する処理とを
コンピュータに実行させることを特徴とする筐体表面の温度予測方法。
【請求項１５】
複数の異なる熱輻射率ごとに前記筐体表面の温度を算出する処理をコンピュータに実行させる
ことを特徴とする請求項１４に記載の筐体表面の温度予測方法。
【請求項１６】
内部に発熱量Ｑを与えられた四角柱体にモデル化された筐体の幅Ｌ１と、奥行きＬ２と、高さＬ３と、前記筐体の表面の熱輻射率とを表示装置に表示させる処理と、
代表長さに前記Ｌ１を採用したヌッセルト数と、前記Ｌ２を採用したヌッセルト数とを用いて前記筐体の底面の自然対流熱伝達率ｈ１を算出し、代表長さに前記Ｌ３を採用したヌッセルト数を用いて前記筐体の側面の自然対流熱伝達率ｈ２を算出し、代表長さに（前記Ｌ１＋前記Ｌ３）を採用したヌッセルト数と、（前記Ｌ２＋前記Ｌ３）を採用したヌッセルト数とを用いて前記筐体の天面の自然対流熱伝達率ｈ３を算出し、前記ｈ１、ｈ２、ｈ３、Ｌ１、Ｌ２、Ｌ３、熱輻射率とから、前記筐体表面の温度を前記発熱量Ｑの関数として算出する処理と、
前記筐体表面の温度を表示装置に表示させる処理とを
コンピュータに実行させることを特徴とする筐体表面の温度予測方法。
【請求項１７】
前記筐体表面の温度を複数の異なる熱輻射率ごとに前記表示装置に表示させる
ことを特徴とする請求項１６に記載の筐体表面の温度予測方法。
【請求項１８】
前記筐体表面の温度と前記発熱量Ｑとの関係をグラフで表示させる
ことを特徴とする請求項１６に記載の筐体表面の温度予測方法。
【請求項１９】
前記筐体表面の温度と前記発熱量Ｑとの関係を、過去の処理結果と合わせて表示させる
ことを特徴とする請求項１６に記載の筐体表面の温度予測方法。
【請求項２０】
内部に発熱量Ｑを与えられた四角柱体にモデル化された筐体の幅Ｌ１と、奥行きＬ２と、高さＬ３と、前記筐体の表面の熱輻射率とに基づいて、代表長さに前記Ｌ１を採用したヌッセルト数と、前記Ｌ２を採用したヌッセルト数とを用いて前記筐体の底面の自然対流熱伝達率ｈ１を算出し、代表長さに前記Ｌ３を採用したヌッセルト数を用いて前記筐体の側面の自然対流熱伝達率ｈ２を算出し、代表長さに（前記Ｌ１＋前記Ｌ３）を採用したヌッセルト数と、（前記Ｌ２＋前記Ｌ３）を採用したヌッセルト数とを用いて前記筐体の天面の自然対流熱伝達率ｈ３を算出する処理と、
前記ｈ１、ｈ２、ｈ３、Ｌ１、Ｌ２、Ｌ３、熱輻射率とから、前記筐体表面の温度を前記発熱量Ｑの関数として算出する処理とを
コンピュータに実行させるためのプログラム。
【請求項２１】
複数の異なる熱輻射率ごとに前記筐体表面の温度を算出する処理をコンピュータに実行させる
ことを特徴とする請求項２０に記載のプログラム。
【請求項２２】
内部に発熱量Ｑを与えられた四角柱体にモデル化された筐体の幅Ｌ１と、奥行きＬ２と、高さＬ３と、前記筐体の表面の熱輻射率とを表示装置に表示させる処理と、
代表長さに前記Ｌ１を採用したヌッセルト数と、前記Ｌ２を採用したヌッセルト数とを用いて前記筐体の底面の自然対流熱伝達率ｈ１を算出し、代表長さに前記Ｌ３を採用したヌッセルト数を用いて前記筐体の側面の自然対流熱伝達率ｈ２を算出し、代表長さに（前記Ｌ１＋前記Ｌ３）を採用したヌッセルト数と、（前記Ｌ２＋前記Ｌ３）を採用したヌッセルト数とを用いて前記筐体の天面の自然対流熱伝達率ｈ３を算出し、前記ｈ１、ｈ２、ｈ３、Ｌ１、Ｌ２、Ｌ３、熱輻射率とから、前記筐体表面の温度を前記発熱量Ｑの関数として算出する処理と、
前記筐体表面の温度を表示装置に表示させる処理とを
コンピュータに実行させるためのプログラム。
【請求項２３】
前記筐体表面の温度を複数の異なる熱輻射率ごとに前記表示装置に表示させる処理を
コンピュータに実行させるための請求項２２に記載のプログラム。
【請求項２４】
前記筐体表面の温度と前記発熱量Ｑとの関係をグラフで表示させる処理を
コンピュータに実行させるための請求項２２に記載のプログラム。
【請求項２５】
前記筐体表面の温度と前記発熱量Ｑとの関係を、過去の処理結果と合わせて表示させる処理を
コンピュータに実行させるための請求項２２に記載のプログラム。
【手続補正２】
【補正対象書類名】明細書
【補正対象項目名】発明の名称
【補正方法】変更
【補正の内容】
【発明の名称】筐体表面の温度予測装置及び方法、筐体表面の温度予測システム、サーバ、データベースサーバ及び筐体表面の温度予測プログラム
【手続補正３】
【補正対象書類名】明細書
【補正対象項目名】０００７
【補正方法】変更
【補正の内容】
【０００７】
本発明は上述の問題に鑑みてなされ、その目的とするところは、電子器筐体のような箱型物体を対象として、その表面温度上昇を信頼性高く、かつ簡便に予測できる筐体表面の温度予測装置及びその方法、筐体表面の温度予測システム、このシステムに用いられるサーバ、データベースサーバ及び筐体表面の温度予測プログラムを提供することにある。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】